(57)【要約】【課題】本発明は、簡単な構造で、収納されているものを完全に保護すると共に、通線作業時の蓋体の脱着も容易であるフレキシブルダクト１を提供することを目的としている。【解決手段】本体２と蓋体３とで構成し、本体２の軸４と別の本体の軸受けとを、蓋体３の軸９と別の蓋体の軸受けとを対向させ、軸受けの中空部に軸９を挿通し、それぞれ連結して本体側ダクト８と蓋体側ダクト１３とを形成し、ファイバーケーブルの芯線等の通線作業終了後に本体２の軸４に形成された結合突起と蓋体３の軸９に形成された結合穴とを対向させると共に、本体２と蓋体３それぞれに係合溝１４ａ、１４ｂを形成しそれぞれ係合溝１４ａ、１４ｂを対向させて本体側ダクト８を蓋体側ダクト９で施蓋することを特徴とする【選択図】　　　　図３
2004048865.tif 000002
【特許請求の範囲】
【請求項１】
光ファイバーケーブルの芯線等を通線または収納し、自在に変形可能であるフレキシブルダクトであって、本体と蓋体とで構成し、前記本体内側の後方略中央部には先端に結合突起を有する軸を、前方略中央部には前記軸よりも大きい中空部を形成した軸受けを設けると共に、前記蓋体の内側後方略中央部には先端に結合穴を有する軸を、前方略中央部には前記軸よりも大きい中空部を形成した軸受けを設け、前記本体の軸と別の本体の軸受けとを、前記蓋体の軸と別の蓋体の軸受けとを対向させ、軸受けの中空部に軸を挿通し、それぞれ連結して本体側ダクトと蓋体側ダクトとを形成し、前記ファイバーケーブルの芯線等の通線作業終了後に前記本体の軸に形成された結合突起と前記蓋体の軸に形成された結合穴とを対向させると共に、前記本体と蓋体それぞれに係合溝を形成しそれぞれ係合溝を対向させて前記本体側ダクトを前記蓋体側ダクトで施蓋することを特徴とするフレキシブルダクト。
【請求項２】
前記フレキシブルダクトであって、前記本体と蓋体共に、前方側は湾曲面で形成し、前記フレキシブルダクトを前後左右に曲げた場合、後方側の平面が前記湾曲面に当接されることを特徴とする請求項１に記載のフレキシブルダクト。
【請求項３】
前記フレキシブルダクトであって、前記本体にビス固定部を設け、箱体等に固定可能であることを特徴とする請求項１乃至請求項２に記載のフレキシブルダクト。
【発明の詳細な説明】
【０００１】
【発明の属する技術分野】
本発明は、光ファイバーケーブルの芯線等を通線及び収納し、自在に変形可能であるフレキシブルダクトに関する。
【０００２】
【従来の技術】
従来技術におけるフレキシブルダクト３１は、同形状のダクト体３２を複数連結し、三次元方向に自在に変形できる構造のものがあった。しかしながら、自在に変形させるためには、ダクト体３２間に一定の隙間３３を設けたり、隙間を設けなくても上部を開放させ、連結部には蓋体を取り付けるようにしていた。
【０００３】
【発明が解決しようとする課題】
しかしながら上記従来技術におけるフレキシブルダクトでは、隙間を設けているため、ケーブル等の収納物を完全に保護しきれない虞があった。また、隙間から収納物が飛び出し、ダクトを傾斜させるときにダクトに挟まれてしまう虞があった。必要な隙間に蓋体を取り付けた場合でも、他の隙間は完全に保護しきれない虞があり、全てに蓋体を取り付けた場合には、通線作業の際には、いちいち蓋体を外さなくてはならず、煩雑な手間がかかっていた。
【０００４】
【課題を解決するための手段】
そこで本発明は、簡単な構造で、収納されているものを完全に保護すると共に、通線作業時の蓋体の脱着も容易であるフレキシブルダクトを提供することを目的とし、その構造は、本体と蓋体とで構成し、本体内側の後方略中央部には先端に結合突起を有する軸を、前方略中央部には軸よりも大きい中空部を形成した軸受けを設けると共に、蓋体内側の後方略中央部には先端に結合穴を有する軸を、前方略中央部には軸よりも大きい中空部を形成した軸受けを設け、本体の軸と別の本体の軸受けとを、蓋体の軸と別の蓋体の軸受けとを対向させ、軸受けの中空部に軸を挿通し、それぞれ連結して本体側ダクトと蓋体側ダクトとを形成し、ファイバーケーブルの芯線等の通線作業終了後に本体の軸に形成された結合突起と蓋体の軸に形成された結合穴とを対向させると共に、本体と蓋体それぞれに係合溝を形成しそれぞれ係合溝を対向させて本体側ダクトを蓋体側ダクトで施蓋することを特徴とする。
【０００５】
また、本体と蓋体共に、前方側は湾曲面で形成し、フレキシブルダクトを前後左右に曲げた場合、後方側の平面が湾曲面に当接されることを特徴とする。
【０００６】
また、本体にビス固定部を設け、箱体等に固定可能であることを特徴とする。
【０００７】
【発明の実施の形態】
本発明に係るフレキシブルダクトは、本体と蓋体とから構成される。本体と蓋体の結合部端部にはそれぞれ結合溝を形成している。本体の後方略中央に設けられた軸を別の本体の前方略中央に設けられた軸受けに挿通し、本体側ダクトを形成する。また蓋体も同様に、後方略中央に設けられた軸を別の蓋体の前方略中央に設けられた軸受けに挿通し、蓋体側ダクトを形成する。本体側ダクトと蓋体側ダクトと係合溝と、軸に設けられた結合突起と結合穴とを対向させ、組み合わせる。軸受けの中空部は軸より大きいため、軸が軸受け内で傾斜することができ、フレキシブルダクトは変形が可能である。
【０００８】
また、本体と蓋体はそれぞれ前方側を湾曲面で形成し、フレキシブルダクトを前後左右に変形させた場合、平面で形成された後方側が、湾曲面で当接され、内部の収納物がダクトによって折れ曲がったり、挟み込まれたりしないようになっている。
【０００９】
また、本体に設けられたビス固定部にビスを挿通し、箱体等にフレキシブルダクトを固定可能である。
【００１０】
【実施例】
本発明に係るフレキシブルダクトの実施例を図１〜図２の添付図面に基づいて説明する。
【００１１】
本発明に係るフレキシブルダクトは、光ファイバーケーブルの芯線等を通線または収納し、前後左右に自在に変形させることができる。フレキシブルダクト１は本体２と蓋体３とを連結させて構成される。本体２内側の後方略中央に軸４を立設し、軸４の先端には結合突起５を設ける。また前方略中央には軸受け６を形成し、軸受け６は後方に設けられた軸４よりも大きい中空部７を形成する。本体２の軸受け６に別の本体の軸を挿通して必要な長さだけ連結し本体側ダクト８を形成する。
【００１２】
蓋体３にも本体２同様、内側の後方略中央に軸９を立設し、軸９の先端には結合穴１０を設ける。また前方略中央には軸受け１１を形成し、軸受け１１は後方に設けられた軸９よりも大きい中空部１２を形成する。蓋体３の軸受け１１に別の蓋体の軸を挿通して必要な長さだけ連結し蓋体側ダクト１３を形成する。
【００１３】
本体２と蓋体３のそれぞれ対向する位置に係合溝１４ａ、１４ｂを設ける。光ファイバーの芯線等を収納した後に、本体側ダクト８を、ぞれぞれの係合溝１４ａ、１４ｂを対向させ、また、本体２側に設けられた結合突起５を蓋体３側に設けられた結合穴１０に対向させて、蓋体側ダクト１３で施蓋する。本体２及び蓋体３共に設けられている軸受け６、１１の中空部７、１２は軸４、９よりも大きいため、軸受け６、１１の中で軸４、９を傾斜させることができ、それぞれのフレキシブルダクト１の連結部で前後左右に自在に変形可能となる。
【００１４】
本発明の請求項２に係るフレキシブルダクト１は、本体２と蓋体３共に、前方を湾曲面１５ａ、１５ｂで形成する。また、後方は平面１６ａ、１６ｂで形成する。フレキシブルダクト１を前後左右に変形したとき、平面１６ａ、１６ｂの端部が湾曲面１５ａ、１５ｂに当接し、内部に収納された芯線等が曲がったり飛び出したりするような限度を超えた変形はしない構造とする。
【００１５】
本発明の請求項３に係るフレキシブルダクトは、本体２にビスが挿通可能であるビス固定部１７を設け、フレキシブルダクト１を収納する箱体等に固定することもできる。
【００１６】
【発明の効果】
以上述べたように、本発明に係るフレキシブルダクトは、本体と蓋体とで構成し、本体内側の後方略中央部には先端に結合突起を有する軸を、前方略中央部には軸よりも大きい中空部を形成した軸受けを設けると共に、蓋体内側の後方略中央部には先端に結合穴を有する軸を、前方略中央部には軸よりも大きい中空部を形成した軸受けを設け、本体の軸と別の本体の軸受けとを、蓋体の軸と別の蓋体の軸受けとを対向させ、軸受けの中空部に軸を挿通し、それぞれ連結して本体側ダクトと蓋体側ダクトとを形成し、ファイバーケーブルの芯線等の通線作業終了後に本体の軸に形成された結合突起と蓋体の軸に形成された結合穴とを対向させると共に、本体と蓋体それぞれに係合溝を形成しそれぞれ係合溝を対向させて本体側ダクトを蓋体側ダクトで施蓋するため、内部に収納された芯線等を完全に保護することができ、また、本体側ダクトと蓋体側ダクトが別に形成されるため、蓋体の脱着が容易になり、作業しやすくなる。
【００１７】
また、本体と蓋体共に、前方側は湾曲面で形成し、フレキシブルダクトを前後左右に曲げた場合、後方側の平面が湾曲面に当接されるため、フレキシブルダクトを前後左右に変形したとき、平面の端部が湾曲面に当接し、内部に収納された芯線等が曲がったり飛び出したりするような限度を超えた変形はしない。また、本体の全てを蓋体で被覆可能であるため、内部に収納された芯線等が傷つけられたりすることがない。
【００１８】
また、本体にビス固定部を設け、箱体等に固定可能であるため、フレキシブルダクトをより確実に取り扱うことができる。
【図面の簡単な説明】
【図１】本発明に係るフレキシブルダクトの本体を示す斜視図である。
【図２】本発明に係るフレキシブルダクトの蓋体を示す斜視図である。
【図３】本発明に係るフレキシブルダクトを連結した状態を示す斜視図である。
【図４】本発明に係るフレキシブルダクトの上下の変形を示す側面図である。
【図５】本発明に係るフレキシブルダクトの左右の変形を示す側面図である。
【図６】従来技術におけるフレキシブルダクトを示す斜視図である。
【符号の説明】
１　　　フレキシブルダクト
２　　　本体
３　　　蓋体
４　　　軸
５　　　結合突起
６　　　軸受け
７　　　中空部
８　　　本体側ダクト
９　　　軸
１０　　結合穴
１１　　軸受け
１２　　中空部
１３　　蓋体側ダクト
１４ａ　係合溝
１４ｂ　係合溝
１５ａ　湾曲面
１５ｂ　湾曲面
１６ａ　平面
１６ｂ　平面
【図１】
2004048865.tif 000003
【図２】
2004048865.tif 000004
【図３】
2004048865.tif 000005
【図４】
2004048865.tif 000006
【図５】
2004048865.tif 000007
【図６】
2004048865.tif 000008